(57)【特許請求の範囲】
【請求項１】
操舵輪に連結された操舵機構の操舵力を補助する油圧パワーシリンダと、
前記油圧パワーシリンダの第１，第２圧力室に対しそれぞれ第１，第２通路を介して油圧を供給する一対の吐出口を備えた双方向ポンプと、
前記双方向ポンプに接続され、この双方向ポンプを正・逆回転させる電動モータと、
前記操舵輪を転舵制御するステアリングホイールの操舵負荷を検出または推定する操舵負荷検出手段と、
前記操舵負荷に基づき、前記電動モータに所望の油圧を発生させるために前記電動モータに対して駆動信号を出力する電動モータ制御手段と、
前記電動モータの回転方向を検出する電動モータ回転方向検出手段と、
前記操舵負荷の方向と前記電動モータ回転方向とが不一致であるとき、前記電動モータの駆動トルクよりも前記第１，第２圧力室間の圧力差により前記電動モータに作用する反力が大きい状態である連れ回り状態と判定する連れ回り判定手段と、
前記連れ回り判定手段が前記連れ回り状態であると判定したときは、前記駆動信号を連れ回り側に補正する補正手段と、
を備えたことを特徴とするパワーステアリング装置。
【請求項２】
請求項１に記載のパワーステアリング装置において、
前記電動モータの回転数を検出する電動モータ回転数検出手段を設け、
前記補正手段は、前記電動モータの回転数に所定の動フリクション係数を乗算した値に基づいて前記駆動信号の補正量を算出することを特徴とするパワーステアリング装置。
【請求項３】
操舵輪に連結された操舵機構の操舵力を補助する油圧パワーシリンダと、
前記油圧パワーシリンダの第１，第２圧力室に対しそれぞれ第１，第２通路を介して油圧を供給する一対の吐出口を備えた双方向ポンプと、
前記双方向ポンプに接続され、この双方向ポンプを正・逆回転させる電動モータと、
前記操舵輪を転舵制御するステアリングホイールの操舵負荷を検出または推定する操舵負荷検出手段と、
前記操舵負荷に基づき、前記電動モータに所望の油圧を発生させるために前記電動モータに対して駆動信号を出力する電動モータ制御手段と、
作動油を貯留するリザーバタンクと、
前記双方向ポンプの液圧に基づき、前記第１圧力室と前記リザーバタンクとの連通、遮断を切り換える第１バイパス弁と、
前記双方向ポンプの液圧に基づき、前記第２圧力室と前記リザーバタンクとの連通、遮断を切り換える第２バイパス弁と、
前記第１バイパス弁及び前記第２バイパス弁と前記リザーバタンクとの間に設けられ、この第１バイパス弁及び第２バイパス弁側の圧力がこのリザーバタンク側の圧力よりも所定値以上高くなったとき、この第１バイパス弁及び第２バイパス弁側からこのリザーバタンク側への油の流れを許容するチェック弁と、
前記電動モータの回転方向を検出する電動モータ回転方向検出手段と、
前記操舵負荷の方向と前記電動モータ回転方向とが不一致であるとき、前記電動モータの駆動トルクよりも前記第１，第２圧力室間の圧力差により前記電動モータに作用する反力が大きい状態である連れ回り状態と判定する連れ回り判定手段と、
前記連れ回り判定手段が前記連れ回り状態であると判定したときは、前記駆動信号を連れ回り側に補正する補正手段と、
を備えたことを特徴とするパワーステアリング装置。
【発明の詳細な説明】
【技術分野】
【０００１】
本発明は、電動油圧ポンプにより運転者の操舵をアシストするパワーステアリング装置に関する。
【背景技術】
【０００２】
従来、特許文献１に開示されるようなパワーステアリング装置においては、パワーシリンダと、このパワーシリンダに接続された双方向ポンプと、この双方向ポンプを正・逆回転駆動する電動機を備え、パワーシリンダの左右の圧力室に油圧を供給することにより、操舵アシスト力を得ている。また、操舵応答性を向上させるため、装置内の液圧を常に所定圧以上に保持するチェック弁が設けられている。これにより、双方向ポンプによりパワーシリンダへ液圧が供給されると、所定圧以上に保持された液圧はすぐにアシスト圧に達し、アシストを開始可能としている。
【特許文献１】特開２００４−３０６７２１号公報
【発明の開示】
【発明が解決しようとする課題】
【０００３】
しかしながら、通常の油圧パワーステアリングにおいて、切り戻し時に残圧が全てリザーバタンクに戻されるのに対し、切り戻し時の残圧のリザーバタンクへの減圧は、上記切り込み応答を確保するためのチェック弁で制限されるため、基本的に反対側のシリンダへポンプを介して戻すしかない。例えば右側への切り込み状態から切り戻し状態に遷移した場合、上昇した右側シリンダの液圧の低下が遅れ、残圧となり、ハンドルの戻り及び切り戻しから切り返しに遷移する時の切り返し応答が悪いという問題が発生する。
【０００４】
本発明は、上記課題に着目してなされたもので、操舵方向が切り換えされたとしても、運転者に違和感を与えることなく操舵アシストを達成可能なパワーステアリング装置を提供することを目的とする。
【課題を解決するための手段】
【０００５】
上記目的を達成するため本発明のパワーステアリング装置では、操舵輪に連結された操舵機構の操舵力を補助する油圧パワーシリンダと、前記油圧パワーシリンダの第１，第２圧力室に対しそれぞれ第１，第２通路を介して油圧を供給する一対の吐出口を備えた双方向ポンプと、前記双方向ポンプに接続され、この双方向ポンプを正・逆回転させる電動モータと、前記操舵輪を転舵制御するステアリングホイールの操舵負荷を検出または推定する操舵負荷検出手段と、前記操舵負荷に基づき、前記電動モータに所望の油圧を発生させるために前記電動モータに対して駆動信号を出力する電動モータ制御手段と、前記電動モータの回転方向を検出する電動モータ回転方向検出手段と、前記操舵負荷の方向と前記電動モータ回転方向とが不一致であるとき、前記電動モータの駆動トルクよりも前記第１，第２圧力室間の圧力差により前記電動モータに作用する反力が大きい状態である連れ回り状態と判定する連れ回り判定手段と、前記連れ回り判定手段が前記連れ回り状態であると判定したときは、前記駆動信号を連れ回り側に補正する補正手段と、を備えたことを特徴とする。
【０００６】
操舵力の方向と電動モータ回転方向の不一致、即ち、電動モータ駆動トルクより左右シリンダ圧力差によるモータに作用する反力がそれを上回る場合、モータは連れ回りする。このとき、運転者はハンドルを切り戻している、もしくは、操舵力を落としている状態であると判断できるため、左右シリンダの圧力差を素早く落としてやる必要があるが、電動モータ駆動トルクは、圧力差を抜くための減圧を妨げる方向に作用しているため、減圧応答が遅れてしまい、結果、ハンドルの切り戻し応答や、切り返し時のアシスト力の応答を悪化させてしまう。そこで、電動モータ駆動力を、連れ回り方向に補正することで、圧力差を素早く落とすことができ、ハンドルの戻り応答や、切り返しでの操舵応答性を改善できる。
【発明を実施するための最良の形態】
【０００７】
以下、本発明のパワーステアリング装置を実現する最良の形態を、図面に示す実施例に基づいて説明する。
【実施例１】
【０００８】
図１は本発明の実施例１におけるパワーステアリング装置の全体構成を表すシステム図である。まず、構成について説明すると、１はステアリングホイール、２はステアリングシャフト、３はラック＆ピニオン機構、５は運転者の操舵力をアシストするパワーステアリング機構、６は電動モータ６ａにより駆動する外接ギア型の双方向ポンプ、７は操舵輪、８は運転者にステアリング系に故障が発生したことを報知するウォーニングランプ、１０はコントロールユニット（特許請求の範囲に記載の電動モータ制御手段に相当）である。電動モータ６ａはブラシレスモータであり、電動モータ回転角を検出する三つのホール素子からなる電動モータ回転数センサ６ｂが設けられている。
【０００９】
パワーステアリング機構５の油圧源である双方向ポンプ６は、パワーシリンダ５ａ（特許請求の範囲に記載の油圧パワーシリンダに相当）の第１シリンダ室５１（特許請求の範囲に記載の第１圧力室に相当）及び第２シリンダ室５２（特許請求の範囲に記載の第２圧力室に相当）を連通する油圧管６１（特許請求の範囲に記載の第１，第２通路に相当）上に設けられている。運転者がステアリングホイール１を操作すると、操作方向に応じて電動モータ６ａの回転方向が切り換えられ、第１シリンダ室５１と第２シリンダ室５２との間の油を給排することで運転者の操舵力をアシストする。具体的には、図中ステアリングホイール１を右に操舵すると、第２シリンダ室５２から第１シリンダ室５１に油圧が供給される方向に電動モータ６ａが駆動することでラック軸５４と一体に移動するピストン５３を第２シリンダ室５２側にアシストする。
【００１０】
油圧管６１には、第１シリンダ室５１と第２シリンダ室５２とを、双方向ポンプ６を介すことなく連通するバイパス回路６２が設けられている。このバイパス回路６２上には、コントロールユニット１０からの指令信号に基づいて作動する電子制御式のフェールセーフバルブ４が設けられている。
【００１１】
このフェールセーフバルブ４は、コントロールユニット１０からの指令信号により電圧が供給されると閉じた状態となり、電圧の供給がない状態では開いた状態となるノーマルオープン弁を用いている。これにより、ステアリング系に何らかの異常が発生し、電源の供給をシャットダウンした場合であっても、第１シリンダ室５１と第２シリンダ室５２を連通状態とすることが可能となり、アシストトルク無しの通常の操舵を確保することができる。
【００１２】
また、ステアリングシャフト２には、運転者の操舵トルクを検出するトルクセンサ１２が設けられている。
【００１３】
コントロールユニット１０には、トルクセンサ１２からの操舵トルク信号、イグニッションスイッチ１３からのＩＧＮ信号、エンジン回転数センサ１４からのエンジン回転数信号、車速センサ１５からの車速信号、電動モータ回転数センサ６ｂからの電動モータ回転信号が入力される。これら入力された信号に基づいて、双方向ポンプ６の電動モータ６ａ、フェールセーフバルブ４及びウォーニングランプ８へ指令信号を出力する。
【００１４】
図２はコントロールユニット１０内の構成を表すブロック図である。電源回路ウォッチドッグタイマ101は、電源１１からの電圧信号、及びイグニッションスイッチ１３からのＩＧＮ信号が入力され、メインマイコン107と信号を送受信する。
【００１５】
エンジン回転数処理回路102は、エンジン回転数センサ１４からのエンジン回転数信号をメインマイコン107へ出力する。トルクセンサ処理回路103は、トルクセンサ１２（特許請求の範囲に記載の操舵負荷検出手段に相当）からのトルク信号をメインマイコン107に出力すると共に、サブマイコン108へ出力する。車速信号処理回路104は、車速センサ１５からの車速信号をメインマイコン107へ出力する。診断回路105は、コネクタ１６を介して入力される診断信号をメインマイコンに出力する。ＣＡＮ通信回路106は、車両系ＣＡＮによって送信される信号をメインマイコン107に出力する。
【００１６】
サブマイコン108は、メインマイコン107を監視する。メインマイコン107にフェールが発生したときは、フェールセーフリレー109，フェールセーフバルブ駆動回路116及びウォーニングランプ駆動回路117へ制御信号を出力可能に構成されている。
【００１７】
フェールセーフリレー109は、何らかのフェールが発生したときは、電動モータ駆動用の電源供給を遮断する。ＥＥＰＲＯＭ110は、制御に必要な各種データを格納すると共に、データを更新可能な構成となっている。フェールセーフリレー診断入力回路111は、フェールセーフリレー109の作動診断信号をメインマイコン107へ出力する。電動モータ駆動回路112は、メインマイコン107からの指令信号に基づいて電動モータ６ａへ電圧を供給する。電流モニタ回路113は、電動モータ６ａの電流値を検出し、メインマイコン107へ出力する。電動モータ端子電圧回路114は、電動モータ６ａの端子電圧をメインマイコン107へ出力する。
【００１８】
電動モータ回転信号処理回路115は、電動モータ６ａの回転数をメインマイコン107へ出力する。フェールセーフバルブ駆動回路116は、メインマイコン107もしくはサブマイコン108からの指令信号に基づいて、フェールセーフバルブ４に対し駆動信号を出力する。ウォーニングランプ駆動回路117は、メインマイコン107もしくはサブマイコン108からの指令信号に基づいて、ウォーニングランプ８に対し指令信号を出力する。
【００１９】
図３は実施例１におけるポンプユニットの構成を表す概略図である。まず構成について説明すると、油圧管６１ａ，６１ｂ，６１ｃ，６１ｄは、各シリンダ室５１と双方向ポンプ６を接続する。バイパス油路６２ａ，６２ａ'，６２ｂ，６２ｂ'は、油圧管６１ｂ，６１ｃを連通する。リザーバタンク202a，202b，205は双方向ポンプ６へ油を供給すると共に、ドレンされた油を貯留する。尚、説明の都合上、複数のリザーバタンクがあるように示したが、リザーバタンクは１つ設ければよい。チェック弁201a，201bは、双方向ポンプ６により油圧が発生したときは閉じ、負圧が生じたときは開放する。
【００２０】
リターンチェック弁203の詳細については後述する。チェック弁204（特許請求の範囲に記載のチェック弁に相当）は、ドレンされた油をリザーバタンク205に供給する、ドレン油路６３は、リターンチェック弁203とリザーバタンク205とチェック弁204を介して接続する。
【００２１】
ここで、リターンチェック弁203について説明する。リターンチェック弁203は、第１リターンチェック弁203a（特許請求の範囲に記載の第１バイパス弁に相当）と、第２リターンチェック弁204a（特許請求の範囲に記載の第２バイパス弁に相当）と、スプールバルブ210と、スプールバルブ210を中央に付勢するリターンスプリング206a，206bから構成されている。
【００２２】
第１リターンチェック弁203aには、油圧管６１ａ，６１ｂとの接続ポートを有する第１油圧室207aと、ドレン油路６３とバイパス油路６２ａ'との接続ポートを有する第１ピストン室208aが設けられている。同様に、第２リターンチェック弁203bには、油圧管６１ｃ，６１ｄとの接続ポートを有する第２油圧室207b、ドレン油路６３とバイパス油路６２ｂ'との接続ポートを有する第２ピストン室208bが設けられている。
【００２３】
スプールバルブ210には、リターンスプリング206aによる付勢力と、第１油圧室207aの油圧と、第１ピストン室208aの油圧により図中右側の付勢力が作用する。一方、反対側（図中左側）の付勢力として、リターンスプリング207aによる付勢力と、第２油圧室207bの油圧と、第２ピストン室208bの油圧が作用する。これによりスプールバルブ210の位置が決定される。
【００２４】
スプールバルブ210には、リターンスプリング206aによる付勢力と、第１油圧室207aの油圧と、第１ピストン室208aの油圧により図中右側の付勢力が作用する。一方、反対側（図中左側）の付勢力として、リターンスプリング207aによる付勢力と、第２油圧室207bの油圧と、第２ピストン室208bの油圧が作用する。これによりスプールバルブ210の位置が決定される。
【００２５】
図４は通常のトルクアシスト制御時における油の流れを表す図、図５はリターンチェック弁の動きを表す動作説明図である。尚、図４中、太実線は高油圧を示し、太点線は低油圧を示す。
【００２６】
（中立位置からの操舵時）
第１シリンダ室５１の油圧と第２シリンダ室５２の油圧が共に釣り合った位置からの操舵時について説明する。操舵開始時において、第１シリンダ室５１の油圧と第２シリンダ室５２の油圧は釣り合った状態である。運転者の操舵により、ラック軸５４を図中右側にアシストするときは、双方向ポンプ６を駆動し、第２シリンダ室５２へ油圧を供給する。すると、油圧管６１ｃ及び油圧管６１ｄが高油圧となる。
【００２７】
この高油圧は、バイパス油路６２ｂ及び６２ｄ'にも供給され、第２ピストン室208bが高油圧となる。このとき、フェールセーフバルブ４は閉じられているため、図５（ｂ）に示すように、第１ピストン室208aと第２ピストン室208b、及び第１油圧室207aと第２油圧室207bに差圧が生じ、スプールバルブ210を図５中左側に移動する。これにより、バイパス油路６２ａ'とドレン油路６３が連通され、第１シリンダ室５１は大気解放された低油圧となる。この差圧を用いてトルクアシスト操舵を実行する。
【００２８】
［コントロールユニットの制御構成］
メインマイコン107には、トルクセンサ処理回路103からのトルク信号、電源回路ウォッチドックタイマ101（イグニッションスイッチ１３及び電源１１の信号に相当）からのイグニッション信号、車速信号処理回路104からの車速信号、電動モータ回転信号処理回路115からの電動モータ回転信号等が入力される。メインマイコン107内には、各信号に基づいて電動モータ６ａの目標電動モータトルクT* を演算する目標電動モータトルク演算部７０が設けられている。この目標電動モータトルクT* に対応した電流指令値が電動モータ駆動回路112に対して出力される。
【００２９】
図６は目標電動モータトルク演算部７０の構成を表す制御ブロック図である。目標電動モータトルク演算部７０は、操舵トルク，車速及び電動モータ回転数に基づいて第１目標電動モータトルクT1* を算出する第１目標電動モータトルク算出部７１と、操舵トルクと電動モータ回転数（電動モータ回転方向）に基づいて、電動モータ６ａが連れ回り状態かどうかを判断する連れ回り判断部７２（特許請求の範囲に記載の連れ回り判定手段に相当）と、電動モータ回転数に基づいて補正トルクThosを算出する補正トルク算出部７３（特許請求の範囲に記載の補正手段に相当）と連れ回り判断部７２の信号に基づいて、補正量０と補正トルク算出部７３の算出結果とを切り換える切換部７４と、第１目標電動モータトルクT1*と補正トルクThos（もしくは０）とを加算する加算部７５から構成されている。
【００３０】
第１目標電動モータトルク算出部７１では、操舵トルクが大きいほどアシスト力を大きくし、また、車速が低いほどアシスト力が大きくなるように演算される。更に、操舵トルクの変化率が大きいときは、電動モータ自身の回転数増大に伴うイナーシャトルクを考慮して、例えば、電動モータ回転数を小さくするときは、電動モータ回転数が小さくなる方向のトルクを大きくし、また、電動モータ回転数を大きくするときは、電動モータ回転数が大きくなる方向のトルクを大きくする。
【００３１】
連れ回り判断部７２では、操舵トルクの方向と電動モータ回転数の方向が不一致かどうかを判断し、不一致のときは電動モータ６ａに対し、操舵トルクと同じ方向に駆動トルクを出力しているにもかかわらず、液圧差によって電動モータ６ａが操舵トルクと逆向きに回転させられている状態、すなわち、連れ回り状態かどうかを判断する。連れ回り状態と判断したときは、切換部７４を補正トルク側に切り換え、連れ回り状態でないと判断したときは、切換部７４を０側に切り換える。
【００３２】
補正トルク算出部７３では、トルクセンサ１２により検出されたトルク信号、及び電動モータ回転数センサ６ｂにより検出された電動モータ回転数から、電動モータ回転方向を検出すると共に、補正トルクを算出する。
【００３３】
加算部７５では、第１目標電動モータトルクT1* と補正トルクThosを加算し、最終的な目標電動モータトルクT* として電流指令値を算出するブロックに出力する。
【００３４】
図７は目標電動モータトルク演算部７０の制御内容を表すフローチャートである。
ステップ２０１では、第１目標電動モータトルクT1* を演算する。
【００３５】
ステップ２０２では、電動モータ回転方向を検出する。尚、電動モータ回転方向は、電動モータ回転信号処理回路115からの電動モータ回転信号に基づいて判断する。
【００３６】
ステップ２０３では、電動モータ回転方向がトルク方向と一致しているかどうかを判断し、一致していない場合は、ステップ２０４へ進む。一方、一致しているときは補正が必要ないと判断してステップ２０８へ進む。
【００３７】
ステップ２０４では、補正トルクThosを下記式より算出する。
Tdmhos＝Motrev×Dmg×Gtmp
Thos＝Tdmhos
Motrev：電動モータ回転数
Dmg：動フリクション係数
Gtmp：温度補正係数
である。尚、動フリクション係数は、双方向ポンプ６と各シリンダ室５１，５２との間のフリクションを予め計算や実験等により設定された値である。また、温度補正係数は、図８に示すマップに設定された値であり、温度の上昇に伴って粘性抵抗が減少する分、小さな温度補正係数となるように設定されている。
【００３８】
ステップ２０５では、電動モータ回転方向が右方向か左方向かを判断し、左方向のときはステップ２０６へ進み、補正トルクとして補正トルク計算値を設定する。一方、右方向のときはステップ２０７へ進み、補正トルクとして補正トルク計算値にマイナスを掛けた値を設定する。
【００３９】
ステップ２０９では、第１目標電動モータトルクT1* と補正トルクThosを加算し、最終的な目標電動モータトルクT* を演算する。
【００４０】
上記制御処理による作用効果について図９のタイムチャートに基づいて説明する。尚、図９中、実線が補正処理無しの第１シリンダ室５１（右シリンダ圧）を表し、太い実線が補正処理無しの第２シリンダ室５２（左シリンダ圧）を表し、一点鎖線が補正処理有りの第１シリンダ室５１（右シリンダ圧）を表し、太い一点鎖線が補正処理有りの第２シリンダ室５２（左シリンダ圧）を表す。
【００４１】
〔補正処理無しの場合〕
まず、補正処理を備えていない従来技術の場合の作用について説明する。
時刻ｔ１において、運転者がステアリングホイール１を右側に操舵すると、操舵トルクが右側に上昇する。これに伴い、操舵トルクに応じた目標電動モータトルクが演算され、電動モータ６ａに対し目標電動モータトルクT* に応じた電流指令値が出力され、第１シリンダ室５１の圧力が上昇する。
【００４２】
時刻ｔ２において、運転者が右側への操舵トルクを弱め始めると、小さな操舵トルクに応じたアシスト力を付与する。すなわち、第１シリンダ室５１の圧力を低下させるために、電動モータ６ａに対しアシスト時とは逆向きの目標電動モータトルクが一時的に設定される。尚、この逆向きの目標電動モータトルクはあくまで電動モータ回転数を低下させるべく、電動モータ６ａのイナーシャトルクを吸収するものであり、電動モータ回転方向を反転させるものではない。
【００４３】
このとき、時刻ｔ２'において、第１シリンダ室５１の液圧が第２シリンダ室５２の液圧よりも高いことから、双方向ポンプ６に大きな差圧が作用し、双方向ポンプ６が第１シリンダ室５１から第２シリンダ室５２側へ作動油が流れる方向に連れ回ることとなる。
【００４４】
ここで、運転者は操舵トルクを小さくしたときは、ステアリングホイール１を切り返す状態であり、この切り返し時に第１シリンダ室５１の油圧が素早く低下できないと、操舵輪７から入力されるセルフアライニングトルク等が打ち消されてしまい、運転者に路面からのフィードバック情報を伝達できず、違和感を与え得ることとなる。尚、詳細については後述する。
【００４５】
時刻ｔ３において、運転者が右側への操舵トルクを弱めた後、左側へ操舵トルクを付与すると、操舵トルクが左側に上昇する。これに伴い、操舵トルクに応じた目標電動モータトルクが演算され、電動モータ６ａに対し目標電動モータトルクに応じた電流指令値が出力される。これにより、第２シリンダ室５２に作動油を供給しようとする。しかしながら、時刻ｔ３においては、未だ第１シリンダ室５１の作動油圧が低下しきっておらず、やや遅れて第１シリンダ室５１の作動油圧の低下が終了し、第２シリンダ室５２の作動油圧が上昇を開始する。
【００４６】
ここで、時刻ｔ３における操舵系の力の釣り合い関係について説明する。一般に、操舵系は、運転者がステアリングホイール１に入力する操舵トルクと、各種フリクションと、パワーステアリング機構５によるアシスト力と、操舵輪７と路面との間に発生する路面反力による運動方程式が成り立っている。ここで、操舵輪７と路面との間には、タイヤスリップ角（もしくは操舵輪７の捩れ力）の発生に伴うセルフアライニングトルクが発生する。
【００４７】
通常、運転者はセルフアライニングトルク等の路面フィードバック情報をステアリングホイール１から感じ取り、走行状況に応じた操舵を行っている。このとき、上述したような右側アシスト状態から左側アシスト状態へ移行する際に、右側の第１シリンダ室５１の液圧の低下が妨げられると、操舵輪７に発生するセルフアライニングトルクは、第１シリンダ室５１の液圧により打ち消されてしまい、運転者に十分な路面フィードバック情報を与えることができない虞がある。
【００４８】
すなわち、ステアリングホイール１の切り返し時において、アシストを行っていた側のシリンダ室内の油圧を素早く低下できなければ、運転者に適正な路面フィードバック情報を提供することができず、操舵フィーリングの悪化を招く虞がある。
【００４９】
〔補正処理有りの場合〕
次に、本実施例１の補正処理を備えた場合の作用について説明する。
時刻ｔ１において、運転者がステアリングホイール１を右側に操舵すると、操舵トルクが右側に上昇する。これに伴い、操舵トルクに応じた目標電動モータトルクが演算され、電動モータ６ａに対し目標電動モータトルクに応じた電流指令値が出力され、第１シリンダ室５１の圧力が上昇する。
【００５０】
時刻ｔ２において、運転者が右側への操舵トルクを弱め始めると、小さな操舵トルクに応じたアシスト力を付与する。すなわち、第１シリンダ室５１の圧力を低下させるために、電動モータ６ａに対しアシスト時とは逆向きの目標電動モータトルクが一時的に設定される。尚、この逆向きの目標電動モータトルクはあくまで電動モータ回転数を低下させるべく、電動モータ６ａのイナーシャトルクを吸収するものであり、電動モータ回転方向を反転させるものではない。
【００５１】
このとき、時刻ｔ２'において、第１シリンダ室５１の液圧が第２シリンダ室５２の液圧よりも高いことから、双方向ポンプ６に大きな差圧が作用し、双方向ポンプ６が第１シリンダ室５１から第２シリンダ室５２側へ作動油が流れる方向に連れ回ることとなり、操舵トルクの方向と電動モータ回転方向とが不一致となる。このとき、第１シリンダ室５１内の液圧を適正値に低下させるべく、補正トルクTdmhosが計算され、目標電動モータトルクに減算（もしくは加算）される。この補正トルクは、電動モータ回転方向に系のフリクションを想定した補正量である。尚、補正トルク付与開始時は漸増補正し、補正トルク付与終了時は漸減補正することで、急激な電動モータの駆動力変化を回避することが望ましい。
【００５２】
尚、系とは、第１シリンダ室５１と、第２シリンダ室５２と、各シリンダ室を接続する配管である油路６１，６２と、双方向ポンプ６とからなる油流通経路を表し、系のフリクションとは、電動モータ回転数に対する油の流れやすさを表す。このフリクションを考慮して補正することで、第１シリンダ室５１の油圧を素早く低下させ、セルフアライニングトルクに係る情報を運転者に伝達することができる。
【００５３】
時刻ｔ３において、運転者が右側への操舵トルクを弱めた後、左側へ操舵トルクを付与すると、操舵トルクが左側に上昇する。これに伴い、操舵トルクに応じた目標電動モータトルクT* が演算され、電動モータ６ａに対し目標電動モータトルクT* に応じた電流指令値が出力される。これにより、第２シリンダ室５２に作動油を供給しようとする。このとき、既に第１シリンダ室５１の作動油圧が低下し、時刻ｔ３からすぐに第２シリンダ室５２の作動油圧が上昇を開始する。
【００５４】
よって、操舵方向の切り換え時等に、シリンダ室内の油圧によってセルフアライニングトルクを打ち消すことがなく、運転者に十分な路面フィードバック情報を与えることができる。
【００５５】
（ロータリーバルブを用いたパワーステアリング装置との対比）
ここで、エンジンにより駆動されるポンプを油圧源とし、この油圧源から供給される油圧をロータリーバルブで切り換える既存のパワーステアリング装置との対比に基づいて説明する。一般に、トーションバーの捩れに応じて油路を切り換えるロータリーバルブを備えた従来のパワーステアリング装置にあっては、操舵方向が切り換えられ、アシストしていた側のシリンダ室から他方のシリンダ室に油圧供給が開始されると、アシストしていた側のシリンダ室はドレン回路と接続されることになる。よって、比較的素早く油圧を低下させることができるため、セルフアライニングトルクの情報を運転者にフィードバックすることが可能となっていた。
【００５６】
これに対し、実施例１のように、第１シリンダ室５１と第２シリンダ室５２とが双方向ポンプ６を介して密封され、シリンダ室の油圧をドレン回路と接続することなく、双方向ポンプ６の給排によってアシスト力を制御するシステム（以下、実施例１のシステムと記載する）の場合、下記に示す問題がある。すなわち、アシストしていた側のシリンダ室の油圧低下が不十分な場合、これからアシストする側のシリンダ室の油圧も立ち上がらず、ステアリングホイール１に作用させた操舵トルクと操舵輪７との関係が崩れる虞があり、運転者にとっては違和感を与えることになる。特に上述したセルフアライニングトルクのフィードバック情報が欠損した場合には、違和感が生じる。
【００５７】
（従来技術と実施例１との対比）
そこで、本出願人は実施例１のシステムにおいて、操舵方向が切り換えられたときには、アシストしていた側のシリンダ室をドレン回路と接続する、もしくは、他方のシリンダ室と接続するフェールセーフ弁を別途搭載したシステムを提案している（従来技術に相当）。このシステムは、操舵トルクの変化率に基づいて、運転者の切り返しを検出し、切り返しを検出したときは、一時的にフェールセーフ弁を開くことで、シリンダ室の油圧を低下させるものである。
【００５８】
従来技術では、基本的にフェールセーフ弁を流用してＯＮ・ＯＦＦ制御を実行している。このフェールセーフ弁は、本来フェール時に左右のシリンダ室を連通させ、運転者の操舵力のみで操舵可能にすることを目的としたものであり、安価な弁を用いている。その場合、一気に両シリンダ室を連通させてしまうと、油圧の高い方から低い方へ一気に油圧が作用し、油撃の発生や急激なトルク変動を招く虞がある。また、この問題を回避するために比例制御弁等を搭載すると、きめ細やかな減圧制御等を行わなければならず、システム全体のコストアップを招く虞がある。
【００５９】
図１０，１１はフェールセーフバルブのＯＮ・ＯＦＦ制御を表すタイムチャートである。従来技術では、図１０に示す問題点があった。
問題点(1)  操舵トルクの変化率に基づいて切り返しを判断しているため、操舵トルクのわずかな変化で切り返しと判断してしまうなど、不安定である。
問題点(2)  フェールセーフ弁の開弁圧が抵抗となり、素早く低下させることができない虞がある。
【００６０】
また、従来技術では、図１１に示す問題点があった。
問題点(3)  フェールセーフ弁の応答遅れが発生した場合、フェールセーフ弁の開弁指令から実際に減圧が始まるまでの応答遅れが発生し、違和感になりやすい。
問題点(4)  シリンダ圧が低下し、他方のシリンダ室へ油圧を供給するべく電動モータ６ａが駆動すると、フェールセーフ弁が開いていることでシリンダ室に負荷が発生せず、電動モータ回転数が一気に上昇する虞がある。
問題点(5)  このような状態が繰り返されると、操舵トルクがこの変動に応じて変化してしまい、制御ハンチングを引き起こす虞がある。
【００６１】
これに対し、実施例１では、電動モータ回転方向と操舵トルクの両方で連れ回りを判断することで、安定した切り返し判断ができる（問題点(1)の解消）。また、双方向ポンプ６を駆動する電動モータ６ａの目標電動モータトルクT* を補正することで、フェールセーフ弁自体の問題点(2)，問題点(3)，問題点(4)，問題点(5)を全て解消することが可能となり、応答遅れや制御ハンチングを引き起こすことなく、良好な操舵フィーリングを提供することができる。
【実施例２】
【００６２】
次に、実施例２について説明する。基本的な構成は実施例１と同じであるため、異なる点についてのみ説明する。図１２は実施例２の目標電動モータトルク演算部７０の構成を表す制御ブロック図である。実施例１では、補正トルクTdmhosの算出を系のフリクション分を補償することを目的に電動モータ回転数に基づいて補正トルクを算出した。これに対し、実施例２では、実施例１に加え、系のイナーシャ分を補償することを目的に操舵トルクの変化率に基づいて補整トルクを算出する点が異なる。
【００６３】
すなわち、ステップ２０２では、補正トルクThosを下記式より算出する。
Thos＝Tdmhos＋Tlmhos
ただし、
Tdmhos＝Motrev×Dmg×Gtmp
Tlmhos＝（d(TTrq)/dt）×lmg
Motrev：電動モータ回転数
Dmg：動フリクション係数
Gtmp：温度補正係数
d(TTrq)/dt：操舵トルク微分値
lmg：系のイナーシャ特性係数
である。尚、系のイナーシャ特性係数とは、双方向ポンプ６と各シリンダ室５１，５２との間のイナーシャ特性であり、予め実験等により求めてもよいし、シミュレーション等で求めてもよい。
【００６４】
すなわち、操舵トルクが変化すると、その変化に伴って操舵系が運動する。運転者は、通常、ステアリングホイール１に作用させた操舵トルクと操舵輪７との関係に基づいて操舵している。そこで、操舵トルクが変化したときには、この変化によって系に発生する運動に応じたイナーシャ分を補償することで、イナーシャ分による遅れを抑制することとした。
【００６５】
上記制御処理による作用効果について図１３のタイムチャートに基づいて説明する。尚、図１３中、実線が補正処理無しの関係を表し、点線が実施例１の関係を表し、一点鎖線が実施例２の関係を表す。
【００６６】
時刻ｔ２１において、運転者がステアリングホイール１を右側に操舵すると、操舵トルクが右側に上昇する。これに伴い、操舵トルクに応じた目標電動モータトルクが演算され、電動モータ６ａに対し目標電動モータトルクに応じた電流指令値が出力され、第１シリンダ室５１の圧力が上昇する。
【００６７】
時刻ｔ２２において、運転者が右側への操舵トルクを弱め始めると、小さな操舵トルク（略中立状態）に応じたアシスト力を付与する必要がある。よって、第１シリンダ室５１の圧力を低下させるために、電動モータ６ａに対しアシスト時とは逆向きの目標電動モータトルクが設定される。
【００６８】
運転者が右側への操舵トルクを弱め始めると、小さな操舵トルクに応じたアシスト力を付与する。すなわち、第１シリンダ室５１の圧力を低下させるために、電動モータ６ａに対しアシスト時とは逆向きの目標電動モータトルクが一時的に設定される。尚、この逆向きの目標電動モータトルクはあくまで電動モータ回転数を低下させるべく、電動モータ６ａのイナーシャトルクを吸収するものであり、電動モータ回転方向を反転させるものではない。
【００６９】
このとき、第１シリンダ室５１の液圧が第２シリンダ室５２の液圧よりも高いことから、双方向ポンプ６に大きな差圧が作用し、双方向ポンプ６が第１シリンダ室５１から第２シリンダ室５２側へ作動油が流れる方向に連れ回ることとなり、操舵トルクの方向と電動モータ回転方向とが不一致となる。このとき、第１シリンダ室５１内の液圧を適正値に低下させるべく、補正トルクTdmhosとTlmhosが計算され、目標電動モータトルクに減算（もしくは加算）される。
【００７０】
この補正トルクは、電動モータ回転方向に系のフリクションと系のイナーシャを想定した補正トルクを演算する。すなわち、操舵トルクの変化率が大きいときは大きな補正トルクが加算され、操舵トルクの変化率が小さいときは小さな補正トルクが加算される。これにより、実施例１に比べて、更に第１シリンダ室５１の油圧低下の過渡応答を向上することができる。操舵トルクの変化率が大きい場合、系の運動が早くなるため、操舵トルクの変化率に応じて補正トルクを増加するものである。
【００７１】
時刻ｔ２３において、運転者が右側への操舵トルクを弱めた後、左側へ操舵トルクを付与すると、操舵トルクが左側に上昇する。これに伴い、操舵トルクに応じた目標電動モータトルクが演算され、電動モータ６ａに対し目標電動モータトルクに応じた電流指令値が出力される。これにより、第２シリンダ室５２に作動油を供給しようとする。このとき、既に第１シリンダ室５１の作動油圧が低下し、時刻ｔ２３からすぐに第２シリンダ室５２の作動油圧が上昇を開始する。
【００７２】
よって、操舵方向の切り換え時等の過渡応答を向上することが可能となり、シリンダ室内の油圧によってセルフアライニングトルクを打ち消すことがなく、運転者に十分な路面フィードバック情報を与えることができる。
【実施例３】
【００７３】
次に、実施例３について説明する。基本的な構成は実施例２と同じであるため、異なる点についてのみ説明する。図１４は実施例３の目標電動モータトルク演算部７０の制御構成を表す制御ブロック図である。実施例２では、補正トルクThosを算出する際、系のフリクションとイナーシャの両方を考慮した値（TdmhosとTlmhos）を用いた。これに対し、実施例３では、この補正トルクThosに車速感応ゲインGvspを作用させた点が異なる。
【００７４】
すなわち、ステップ２０２では、補正トルクThosを下記式より算出する。
Thos＝（Tdmhos＋Tlmhos）×Gvsp
ただし、
Tdmhos＝Motrev×Dmg×Gtmp
Tlmhos＝（d(TTrq)/dt）×lmg
Motrev：電動モータ回転数
Dmg：動フリクション係数
Gtmp：温度補正係数
d(TTrq)/dt：操舵トルク微分値
lmg：系のイナーシャ特性係数
Gvsp：車速感応ゲイン
である。
【００７５】
図１５は車速感応ゲインを表すマップである。上述したように、操舵輪７に作用する反力（セルフアライニングトルク等）は、タイヤスリップ角との間に相関を持つ。タイヤスリップ角は、操舵角、横加速度、ヨーレイト、車速等と相関を持つ。車速感応ゲインは、高車速であれば、セルフアライニングトルクが小さくなるため、小さなゲインを設定し、低車速であれば、セルフアライニングトルクが大きくなるため、大きなゲインを設定する。このように、車速感応ゲインを設定することで、高車速領域では、運転者がステアリングホイール１を切り返したときであっても、急激に中立位置に戻ろうとする力を抑制することで、直進安定性を向上することができる。また、低車速領域では、よりセルフアライニングトルクを再現することで、操舵輪７に作用する反力を精度良く運転者にフィードバックすることが可能となり、更に操舵フィーリングを向上することができる。
【００７６】
尚、実施例３では、車速感応ゲインGvspをTdmhosとTlmhosとの和に対して作用させたが、フリクション補償用の車速感応ゲインと、イナーシャ補償用の車速感応ゲインを別々に設定してもよい。
【００７７】
上記実施例に基づく請求項以外の技術思想について下記に列挙する。
【００７８】
(1)請求項１または２に記載のパワーステアリング装置において、
前記電動モータはブラシレスモータであって、
前記電動モータ回転方向検出手段は、前記電動モータのステータの位置を検出する位置検出手段であることを特徴とするパワーステアリング装置。
【００７９】
ブラシレスモータの位置検出センサ（レゾルバ等）を電動モータ回転方向検出手段として用いることにより、特別にセンサ等を設ける必要が無い。
【００８０】
(2)請求項１または２に記載のパワーステアリング装置において、
前記電動モータ回転方向検出手段は、前記電動モータ制御手段の電動モータ駆動信号に基づいて前記電動モータの回転方向を検出することを特徴とするパワーステアリング装置。
【００８１】
電動モータ駆動信号に基づき電動モータの回転方向を検出することで、特別なセンサ等を設ける必要がない。
【００８２】
(3)請求項１または２に記載のパワーステアリング装置において、
前記電動モータ制御手段は、前記連れ回り判定手段が前記操舵負荷の方向と前記電動モータの回転方向とが不一致であると判定するとき、前記駆動信号を漸増補正することを特徴とするパワーステアリング装置。
【００８３】
駆動信号を漸増補正することにより、急激な電動モータの駆動力の変化が回避され、液圧の変化による操舵違和感を抑制することができる。
【００８４】
(4)請求項１または２に記載のパワーステアリング装置において、前記電動モータ制御手段は、前記連れ回り判定手段が前記操舵負荷の方向と前記電動モータの回転方向とが不一致の状態から一致の状態へと移行したと判断したときは、前記駆動信号を漸減補正することを特徴とするパワーステアリング装置。
【００８５】
操舵負荷の方向と電動モータの回転方向とが一致した状態へ移行した場合、駆動信号を徐々に低下させ、通常の駆動信号へ戻すことにより、急激な電動モータ駆動力の変化が回避され、液圧の変化による操舵違和感を抑制することができる。
【図面の簡単な説明】
【００８６】
【図１】実施例１におけるパワーステアリング装置のシステム構成図である。
【図２】実施例１におけるコントロールユニット内の構成を表すブロック図である。
【図３】実施例１におけるポンプユニットの構成を表す概略図である。
【図４】実施例１における通常のトルクアシスト制御時における油の流れを表す図である。
【図５】実施例１におけるリターンチェック弁の動きを表す動作説明図である。
【図６】実施例１における目標電動モータトルク演算部の構成を表す制御ブロック図である。
【図７】実施例１における目標電動モータトルク演算部の制御内容を表すフローチャートである。
【図８】実施例１における温度補正係数を示すマップである。
【図９】実施例１における補正処理無しの場合と、補正処理有りの場合を表すタイムチャートである。
【図１０】従来技術における問題点を表すタイムチャートである。
【図１１】従来技術における問題点を表すタイムチャートである。
【図１２】実施例２における目標電動モータトルク演算部の構成を表す制御ブロック図である。
【図１３】実施例２における補正処理有りの場合と、実施例１における補正処理有りの場合と、補正処理無しの場合を表すタイムチャートである。
【図１４】実施例３における目標電動モータトルク演算部の構成を表す制御ブロック図である。
【図１５】実施例３における車速感応ゲインを表すマップである。
【符号の説明】
【００８７】
１ ステアリングホイール
４ フェールセーフバルブ
５ パワーステアリング機構
５ａ パワーシリンダ（油圧パワーシリンダ）
６ 双方向ポンプ
６ａ 電動モータ
６ｂ 電動モータ回転数センサ
７ 操舵輪
１０ コントロールユニット
１２ トルクセンサ
１３ イグニッションスイッチ
１４ エンジン回転数センサ
１５ 車速センサ
５１ 第１シリンダ室（第１圧力室）
５２ 第２シリンダ室（第２圧力室）
６１ 油路（第１通路，第２通路）
６２ バイパス回路
６３ ドレン油路
７２ 連れ回り判断部
７３ 補正トルク算出部
115 電動モータ回転信号処理回路
203a 第１リターンチェック弁（第１バイパス弁）
204 チェック弁
204a 第２リターンチェック弁（第２バイパス弁）
205 リザーバタンク
【図１】
0004639146.tif 000002
【図２】
0004639146.tif 000003
【図３】
0004639146.tif 000004
【図４】
0004639146.tif 000005
【図５】
0004639146.tif 000006
【図６】
0004639146.tif 000007
【図７】
0004639146.tif 000008
【図８】
0004639146.tif 000009
【図９】
0004639146.tif 000010
【図１０】
0004639146.tif 000011
【図１１】
0004639146.tif 000012
【図１２】
0004639146.tif 000013
【図１３】
0004639146.tif 000014
【図１４】
0004639146.tif 000015
【図１５】
0004639146.tif 000016